(57)【要約】【課題】より簡便な構造で且つ自立性の高い、主として容器に充填された状態で調理及び／又は喫食される食品を充填するための包装用容器（スタンディングパウチ）を提供する。【解決手段】２つの側面部材とその間に配置された２つ折りした底面部材が付着部にて付着されて成るスタンティングパウチにおいて、前記側面部材と底面部材の付着部両端が袋最底部よりも上側に斜めに裁断されており、該付着部の裁断されていない部分の長さが袋横幅の長さの３０〜３５％であり、且つ、側面付着部分の長さが裁断により袋縦幅の長さより３〜５％短いように包装用容器を構成する。【選択図】図１
0003176634.tif 000002
【実用新案登録請求の範囲】
【請求項１】
２つの側面部材とその間に配置された２つ折りした底面部材が付着部にて付着されて成るスタンティングパウチにおいて、前記側面部材と底面部材の付着部両端が袋最底部よりも上側に斜めに裁断されており、該付着部の裁断されていない部分の長さが袋横幅の長さの３０〜３５％であり、且つ、側面付着部分の長さが裁断により袋縦幅の長さより３〜５％短いものであることを特徴とする、包装用容器。
【請求項２】
裁断面が水平ではなく、多段階の裁断となっていることを特徴とする、請求項１に記載の包装用容器。
【請求項３】
該包装用容器に充填された状態で調理及び／又は喫食される食品を充填するためのものであることを特徴とする、請求項１又は２に記載の包装用容器。
【考案の詳細な説明】
【技術分野】
【０００１】
本考案は、包装用容器に関する。詳細には、主として該容器に充填された状態で調理及び／又は喫食される食品を充填するためのものであって、自立性が高く倒れにくいスタンディングパウチに関する。
【背景技術】
【０００２】
現在の食品の包装用容器は、その内容物の特徴などにより多種多様のものが選ばれ使用されているが、特にスタンディングパウチについては、その自立性という特徴から販売時の商品棚省スペース化、食器代替性などの特性を有し、食品業界において広く普及している。
【０００３】
このスタンディングパウチは、２つの側面部材、及び、その間に配置された２つ折りした底面部材がそれぞれ各付着部において付着されて構成される。そして、上部からの内容物充填・密閉後には２つ折りした底面部材が引き伸ばされ、これによって側面部材と底面部材の付着部が略円形に広がり、この部分によって自立性を確保している。
【０００４】
しかし、従来より流通している通常のスタンディングパウチは、側面部材と底面部材の付着部（袋が閉じた状態での最下部）が一直線状であることから、略円形に広げたときには均一な平面とならない場合が多い。つまり、略円形に広がった該付着部と床面との接触部分が水平でなく、これによって自立性が充分でない、電子レンジ等での調理時や喫食時に倒れてしまう等の問題点がある。
【０００５】
これを解決する手段として、底部の付着帯部の外面を互いに付着せず、該底部の付着帯部をほぼ水平に延ばすことが可能な包装用容器（特許文献１）などが提案されているが、当業界においてより簡便な構造で且つより自立性の高いスタンディングパウチの開発が引き続き求められている。
【先行技術文献】
【特許文献】
【０００６】
【特許文献１】特開２０００−２１１６５５号公報
【考案の概要】
【考案が解決しようとする課題】
【０００７】
本考案は、より簡便な構造で且つ自立性の高い、主として容器に充填された状態で調理及び／又は喫食される食品を充填するための包装用容器（スタンディングパウチ）を提供することを目的とする。
【課題を解決するための手段】
【０００８】
上記目的を達成するため、本考案者らは鋭意研究を行った結果、２つの側面部材とその間に配置された２つ折りした底面部材が付着部にて付着されて成るスタンティングパウチにおいて、前記側面部材と底面部材の付着部両端が袋最底部よりも上側に斜めに裁断されており、該付着部の裁断されていない部分の長さが袋横幅の長さの３０〜３５％であり、且つ、側面付着部分の長さが裁断により袋縦幅の長さより３〜５％短いという構成をとる包装用容器とすることにより上述の課題を解決できることを見出し、ついに本考案に至った。
【０００９】
すなわち、本考案の実施形態は次のとおりである。
（１）２つの側面部材とその間に配置された２つ折りした底面部材が付着部にて付着されて成るスタンティングパウチにおいて、前記側面部材と底面部材の付着部両端（Ａ）が袋最底部よりも上側に斜めに裁断されており、該付着部の裁断されていない部分（Ｂ）の長さが袋横幅の長さの３０〜３５％であり、且つ、側面付着部分（Ｃ）の長さが裁断により袋縦幅の長さより３〜５％短いものであることを特徴とする、包装用容器。
（２）裁断面（Ｄ）が水平ではなく、多段階の裁断となっていることを特徴とする、（１）に記載の包装用容器。
（３）該包装用容器に充填された状態で調理及び／又は喫食される食品（例えば、アルファ化米及びその加工品など）を充填するためのものであることを特徴とする、（１）又は（２）に記載の包装用容器。
【考案の効果】
【００１０】
本考案によれば、内容物充填後に２つ折りした底面部材が引き伸ばされ側面部材と底面部材の付着部が略円形に広がった際に、広がった該付着部と床面との接触部分が複数できるため安定性を保ち、これによって、内容物が充填されている状態で高い自立性を有する包装用容器（スタンディングパウチ）を提供できる。これにより、直接お湯などを注いで内容物の食品を調理したり、そこから直接内容物の食品を食べたりすることが容易にでき、つまり該容器を調理器具や食器の代替とすることができる。そして、該容器は、従来のスタンディングパウチと比較して全体的な形状にほとんど差がなく、工業生産時の機械適性や流通時などにおいて何ら従来のスタンディングパウチと変わらず使用することが可能であるのも特徴である。
【図面の簡単な説明】
【００１１】
【図１】上段がスタンディングパウチ外面図、下段が内面図を示す。いずれも上が開封部で下方が袋底である。また、内面図の中央太線は注水線を表す。図中の符号Ａは、スタンディングパウチ側面部材と底面部材の付着部両端（斜めに裁断された部分）、符号Ｂはスタンディングパウチ側面部材と底面部材の付着部のうち裁断されていない部分、符号Ｃは裁断した後のスタンディングパウチ側面部材付着部分、符号Ｄはスタンディングパウチ側面部材と底面部材の付着部両端の裁断面を意味する。また、図中の数字は矢印で示した範囲の長さ（単位はｍｍ）を示す。
【考案を実施するための形態】
【００１２】
本考案は、簡便な構造で且つ自立性の高い包装用容器（スタンディングパウチ）であって、その構造・構成の典型例を図１に示す。
【００１３】
該容器は、２つの側面部材どうし、及び、２つの側面部材とその間に配置された２つ折りした底面部材が、それぞれ付着部にて付着されて成るスタンティングパウチである。そして、側面部材と底面部材の付着部の両端（Ａ）は袋最底部（袋が閉じた状態での最下部）よりも上側に斜めに裁断されており、該付着部の裁断されていない部分（Ｂ）の長さが袋横幅の長さの３０〜３５％（好ましくは３０〜３３％）であり、且つ、側面付着部分（Ｃ）の長さが裁断により袋縦幅の長さより３〜５％（好ましくは４〜５％）短いという構成を有する。これにより、内容物が充填され、側面部材と底面部材の付着部が略円形に広がったときに、該容器と床面との接触部分が複数できるため安定性を保つ。
【００１４】
本考案においては、袋最底部である側面部材と底面部材の付着部の裁断されていない部分（Ｂ）の長さと袋横幅の長さの関係、及び、側面付着部分（Ｃ）の長さと側面側全体の幅（袋縦幅）の長さの関係が非常に重要である。これらの長さの関係が一定の範囲を保つことで、側面部材と底面部材の付着部が略円形に広がったときに該容器と床面との接触部分が複数でき安定性を保つ、という効果をはじめて奏する。なお、付着部両端の裁断については、１回（１段階）で平面に裁断を行ってもよいが、１段階で裁断することが必須ではなく、何段階かに分けて角度を変えて裁断を行ってもよい（例えば、付着部両端の裁断面に１つの頂点を付与するための２段階裁断など）。なお、多段階の裁断とすることで、該容器と床面との接触部分がより多くなり、安定性をより高めることができる。
【００１５】
使用する包材の材質は、包装用容器（特にスタンディングパウチ）に用いられるものは全て使用でき、特段の制限はないが、好適例としてはナイロン、ポリエチレン、ポリエチレンテレフタレートなどが例示される。また、これらを適宜ラミネートしたラミネートフィルムを使用することも差し支えない。そして、包材の厚みもスタンディングパウチの特性を失わない範囲で適宜設計でき、特段限定されるものではないが、１００〜２００μｍ程度のものが例示できる。
【００１６】
本考案に係る包装用容器に充填するものは、主として容器に充填された状態で調理及び／又は喫食する場合がある食品が好適である。例えば、アルファ化米を含む米飯類（白米、粥、赤飯、混飯等）、乾燥麺を含む麺類（ラーメン、そば、うどん等）、シチュー類（カレー、ハヤシ、シチュー等）、汁物類（味噌汁、豚汁、各種スープ等）、惣菜類（肉じゃが、八宝菜等）などが例示される。なお、容器の高い自立性が必要とされるものであれば、容器に充填された状態で調理及び／又は喫食する場合がない食品や非食品（例えば液体染料など）にも用いて良い。
【００１７】
以上のような本考案により、例えば容器に充填された状態で調理及び／又は喫食する場合がある食品において、お湯などを直接注いでも安定性が高く、倒れて火傷となる危険性が極めて低いという効果を奏する。また、喫食時等でも安定性が高く、倒してこぼしてしまうという危険性が極めて低いという利点がある。
【００１８】
以下、本考案の実施例について述べるが、本考案はこの実施例のみに限定されるものではなく、本考案の技術的思想内においてこれらの様々な変形が可能である。
【実施例１】
【００１９】
包材としては、ナイロン／アルミ蒸着ＰＥＴ／ＬＬＤＰＥの材質構成で全体の厚さが１１７μｍのものを使用して側面部材及び底面部材を作製し、横幅１６０ｍｍ、長さ（縦幅）１５０ｍｍのスタンディングパウチの材料とした。
【００２０】
そして、２つの側面部材どうし、及び、２つの側面部材とその間に配置した２つ折りした底面部材をそれぞれ各付着部で接着した。その後、側面部材と底面部材の付着部について、中央の５０ｍｍ（（Ｂ）、横幅全長の３１．３％）を残し、両端（Ａ）を裁断した。裁断は、側面部材どうしの付着部において底面から７ｍｍ上側となるように行い、底面から５ｍｍ上側の部分での２段階裁断とした（Ｄ）。これにより、側面部材どうしの付着部（Ｃ）は１４３ｍｍとなった（縦幅全長より４．７％短い）。その他、商品特性に合わせた加工（ノッチ、チャック、楕円フック穴など）を行い、本考案に係るスタンディングパウチ製品を得た（図１）。
【００２１】
本考案を要約すれば、以下の通りである。
【００２２】
本考案は、より簡便な構造で且つ自立性の高い、主として容器に充填された状態で調理及び／又は喫食される食品を充填するための包装用容器（スタンディングパウチ）を提供することを目的とする。
【００２３】
そして、２つの側面部材とその間に配置された２つ折りした底面部材が付着部にて付着されて成るスタンティングパウチにおいて、前記側面部材と底面部材の付着部両端が袋最底部よりも上側に斜めに裁断されており、該付着部の裁断されていない部分の長さが袋横幅の長さの３０〜３５％であり、且つ、側面付着部分の長さが裁断により袋縦幅の長さより３〜５％短いように包装用容器を構成することで、上記課題を解決する。
【符号の説明】
【００２４】
図１に記載の符号の説明は以下の通りである。
Ａ：スタンディングパウチ側面部材と底面部材の付着部両端
Ｂ：スタンディングパウチ側面部材と底面部材の付着部のうち、裁断されていない部分
Ｃ：裁断した後のスタンディングパウチ側面部材付着部分
Ｄ：スタンディングパウチ側面部材と底面部材の付着部両端の裁断面
【図１】
0003176634.tif 000003